(57)【要約】【課題】  ハウス内の簡易・環境に適した店舗用ヒートポンプによる方法が、提案されている。しかし、この機種では、送風能力・熱量等が不足する問題点があった。また、店舗用ヒートポンプは、ヒートポンプの中では、低価格であっても、施設園芸向けの燃焼型のハウスヒーターと比べるとかなり、割高であることもネックである。【解決手段】  本発明は、送風能力・熱量等の不足の解消と、コストの低廉化を図る。その為に本発明は、ヒートポンプ室内外機と、ヒートポンプ室外機に設けた顕熱交換機と、ヒートポンプ室内外機と、顕熱交換機との間に設けた、複数の開閉自在のダンパーとでなる施設園芸用の環境制御装置である。【選択図】      図１
2015197258.tif 000002
【特許請求の範囲】
【請求項１】
ヒートポンプ用の室内外機と、このヒートポンプに備えた顕熱交換機と、当該顕熱交換機と前記室内機との間に設けたケーシングとでなる施設園芸用の環境制御装置であって、
この施設園芸用の環境制御装置に備えた外気ルートで導入した外気を、前記顕熱交換機に給気可能とするとともに、この外気を、当該顕熱交換機において、温湿度制御し、湿度の低い、適温の空気を生成し、この湿度の低い、適温の空気を、この顕熱交換機と前記ケーシングの間に設けたルートで、このケーシングに給気可能とする構成とし、
たことを特徴とする顕熱交換機と、ヒートポンプとを利用した施設園芸向け環境制御装置。
【請求項２】
ヒートポンプ用の室内外機と、このヒートポンプに備えた顕熱交換機と、この室外機及びこの顕熱交換機に備えた外気ルートに、この室内外機と、当該顕熱交換機にそれぞれ設けたダンパーと、前記顕熱交換機と前記室内機との間に設けたケーシングとでなる施設園芸用の環境制御装置であって、
この施設園芸用の環境制御装置に備えた外気ルートで導入した外気を、前記顕熱交換機に給気可能とするとともに、この外気を、当該顕熱交換機において、温湿度制御し、湿度の低い、適温の空気を生成可能とする構成とし、
この顕熱交換機で生成した湿度の低い、適温の空気を、当該顕熱交換機と前記ケーシングの間に設けたルートで、このケーシングに給気可能とする構成とし、
前記室内機で生成した暖気を、前記ケーシングに送り、当該暖気は、前記ケーシング内にある湿度の低い、適温の空気とともに、このケーシングに設けた送風機と吐出口を介して、前記ハウス、又はハウスのダクトに給気可能とする構成とし、
たことを特徴とする顕熱交換機と、ヒートポンプとを利用した施設園芸向け環境制御装置。
【請求項３】
ハウスに備えたヒートポンプ用の室内外機に、顕熱交換機を配備する施設園芸向け環境制御装置において、
この室外機を開閉する第二ダンパーと、当該室外機と前記顕熱交換機との間に設けた第二ルート（外気ルート）を開閉する第三ダンパーとを配備し、かつこの顕熱交換機には、前記外気ルートに繋がる吸込口と、内部の空気を排気する排気口とを備えており、この排気口を開閉する第一ダンパーを設け、
また、前記室内機にはケーシングを配備し、このケーシングと前記顕熱交換機には第四ルートを設けるとともに、この第四ルートには、少なくとも、第二ブロワをそれぞれ配備し、
前記ケーシングには、送風機と吐出口とを配備する構成としたことを特徴とする顕熱交換機と、ヒートポンプとを利用した施設園芸向け環境制御装置。
【請求項４】
前記ヒートポンプ室内外機と、前記顕熱交換機との他に、炭酸ガス供給機を配備する構成とした請求項１〜請求項３の何れか一項に記載の顕熱交換機と、ヒートポンプとを利用した施設園芸向け環境制御装置。
【請求項５】
前記ヒートポンプ室内外機と、前記顕熱交換機と、前記炭酸ガス供給機の他に、温湿度センサーを配備する構成とした請求項１〜請求項４の何れか一項に記載の顕熱交換機と、ヒートポンプとを利用した施設園芸向け環境制御装置。
【請求項６】
前記ハウス内の温湿度を、前記顕熱交換機を利用して制御する請求項１〜請求項５の何れか一項に記載の顕熱交換機と、ヒートポンプとを利用した施設園芸向け環境制御装置。
【請求項７】
前記顕熱交換機を、ハウス外に設置された前記ヒートポンプ室外機用のベースにセットする構成とした請求項１〜請求項６の何れか一項に記載の顕熱交換機と、ヒートポンプとを利用した施設園芸向け環境制御装置。
【発明の詳細な説明】
【技術分野】
【０００１】
本発明は、顕熱交換機と、ヒートポンプとを利用した施設園芸向け環境制御装置に関する。
【背景技術】
【０００２】
ヒートポンプを、ハウスの冷暖房に使用する発明として、本出願人が提案する特開２０１１−２２６７２１号公報に記載の構造がある。この発明は、ハウス内の働きを終えた温風を有効利用することと、内外気を使い分けることとにより、冷暖房の効率化と、温湿度管理のコントロールを図ること、等を目的とする。
【０００３】
また、市場では、施設園芸向けに販売されているヒートポンプは、販売量の多い品物で、例えば、店舗向けのヒートポンプであって、多くは、小規模な店舗に取り付けられる機種である。その主たる理由は、販売数量が多くコスト的には安く上がることが考えられ、所謂、コスト面を考えてのことである。
【０００４】
しかしながら、このヒートポンプは、床面積が少ない店舗向けの為、店舗として熱量は足りても、床面積が大きくなる施設園芸向けのヒートポンプでは、送風能力等が不足する問題点があった。また、この店舗用ヒートポンプは、この種のヒートポンプの中では、低価格であっても、施設園芸向けの暖房機、例えば、燃焼型のハウスヒーターと比べると、かなり割高であることもネックである。
【０００５】
本発明は、以上の問題点解消と、低価格のヒートポンプを提供することで、施設園芸向けのヒートポンプとして、ユーザーが望む構造を提案する。即ち、ヒートポンプを改造し多機能化、能力強化を図れる「顕熱交換機と、ヒートポンプとを利用した施設園芸向け環境制御装置」の提案で、施設園芸者（ユーザー）の希望達成と、ユーザーの導入意欲喚起にある。
【０００６】
このユーザーの希望達成と、導入意欲喚起のために、本発明は、顕熱交換機の採用で、ヒートポンプの機能向上、例えば、ヒートポンプの熱エネルギー、湿度コントロール、及び／又は、送風能力等の補填を図ること、並びに顕熱交換機を、ヒートポンプの室外機にセットするとともに、このヒートポンプの室内外機に連繋することで、この顕熱交換機の有効性とハウスの内部空間を確保すること、等を意図する。
【０００７】
以上の総合的な観点から、従来技術を検討すると、特開２００６−０１０２６４号公報の明細書の［００５６］において、「顕熱交換機（７４ａ）は、外部から供給される空気と、空調空間（１２０ａ）から供給される空気とを熱交換させ、外部から供給される空気を冷却し、空調空間（１２０ａ）から供給される空気を加熱する。」という記載がある。しかし、この発明は、空調空間の除湿が必要になった時に、熱量が生成されていない状況下において、直ちに空調空間除湿を図るコージェネレーションシステムと、そのコージェネレーションシステム制御方法および建造物に関する。
【０００８】
したがって、文献（１）では、本発明が意図する、前記ユーザーの希望達成と、導入意欲喚起のために有効な、目的と構造とを備えたものとは考えられない。
【０００９】
【特許文献１】特開２００６−０１０２６４号公報
【発明の概要】
【発明が解決しようとする課題】
【００１０】
前述の如く、従来のヒートポンプは、店舗向けの為、店舗として熱量は足りても、施設園芸向けのヒートポンプでは、送風能力等が不足する問題点があった。また、この店舗用ヒートポンプは、この種のヒートポンプの中では、低価格であっても、施設園芸向けの暖房機、例えば、燃焼型のハウスヒーターと比べると、かなり割高感があることもネックである。
【課題を解決するための手段】
【００１１】
本発明は、ユーザーの希望達成と、導入意欲喚起のために有効な、目的と構造を備える。即ち、顕熱交換機の採用で、ヒートポンプの機能向上、例えば、ヒートポンプの熱エネルギー、湿度コントロール、及び／又は、送風能力等の補填、並びに顕熱交換機を、ヒートポンプの室外機にセットし、かつヒートポンプの室内外機に連繋することで、この顕熱交換機の有効性、及び割高感の解消（価格的にマッチングする構造の提供）と、又は顕熱交換機の大型化と、かつ大音量となり易い（特開平１０−２６７４５０号公報［０００５］記載）問題点解消と、かつハウスの内部空間確保を図る為に、ヒートポンプの室外機にセットすることで解決すること、等を意図して、請求項１〜７を提供する。
【発明の効果】
【００１２】
請求項１の発明は、ヒートポンプ用の室内外機と、ヒートポンプに備えた顕熱交換機と、顕熱交換機と室内機との間に設けたケーシングとでなる施設園芸用の環境制御装置であって、
施設園芸用の環境制御装置に備えた外気ルートで導入した外気を、顕熱交換機に給気可能とするとともに、外気を、顕熱交換機において、温湿度制御し、湿度の低い、適温の空気を生成し、湿度の低い、適温の空気を、顕熱交換機とケーシングの間に設けたルートで、ケーシングに給気可能とする構成とし、
たことを特徴とする顕熱交換機と、ヒートポンプとを利用した施設園芸向け環境制御装置である。
【００１３】
従って、請求項１では、ヒートポンプの熱エネルギー、及び／又は、送風能力等の補填が可能となり、また、顕熱交換機を、ヒートポンプの室外機にセットし、かつヒートポンプの室内外機に連繋することで、この顕熱交換機の有効性、及び割高感の解消（価格的にマッチングする構造の提供）とともに、顕熱交換機の大型化と、かつ大音量の解消に役立ち得る、等の特徴がある。
【００１４】
請求項２の発明では、ヒートポンプ用の室内外機と、ヒートポンプに備えた顕熱交換機と、室外機及び顕熱交換機に備えた外気ルートに、室内外機と、顕熱交換機にそれぞれ設けたダンパーと、顕熱交換機と室内機との間に設けたケーシングとでなる施設園芸用の環境制御装置であって、
施設園芸用の環境制御装置に備えた外気ルートで導入した外気を、顕熱交換機に給気可能とするとともに、外気を、顕熱交換機において、温湿度制御し、湿度の低い、適温の空気を生成可能とする構成とし、
顕熱交換機で生成した湿度の低い、適温の空気を、顕熱交換機とケーシングの間に設けたルートで、ケーシングに給気可能とする構成とし、
室内機で生成した暖気を、ケーシングに送り、暖気は、ケーシング内にある湿度の低い、適温の空気とともに、ケーシングに設けた送風機と吐出口を介して、ハウス、又はハウスのダクトに給気可能とする構成とし、
たことを特徴とする顕熱交換機と、ヒートポンプとを利用した施設園芸向け環境制御装置である。
【００１５】
従って、請求項２では、請求項１の効果を達成できる、最適な構造のヒートポンプ室内外機と、顕熱交換機とでなる施設園芸向け環境制御装置を提供できる。
【００１６】
請求項３の発明では、ハウスに備えたヒートポンプ用の室内外機に、顕熱交換機を配備する施設園芸向け環境制御装置において、
室外機を開閉する第二ダンパーと、室外機と顕熱交換機との間に設けた第二ルート（外気ルート）を開閉する第三ダンパーとを配備し、かつ顕熱交換機には、外気ルートに繋がる吸込口と、内部の空気を排気する排気口とを備えており、排気口を開閉する第一ダンパーを設け、
また、室内機にはケーシングを配備し、ケーシングと顕熱交換機には第四ルートを設けるとともに、第四ルートには、少なくとも、第二ブロワをそれぞれ配備し、
ケーシングには、送風機と吐出口とを配備する構成としたことを特徴とする顕熱交換機と、ヒートポンプとを利用した施設園芸向け環境制御装置である。
【００１７】
従って、請求項３では、請求項１の効果を達成できる第二、第四ルート、及び開閉自在の第一〜第三ダンパー、並びに第二ブロワを備えたヒートポンプ室内外機と、顕熱交換機とでなる施設園芸向け環境制御装置を提供できる。
【００１８】
請求項４の発明は、ヒートポンプ室内外機と、顕熱交換機との他に、炭酸ガス供給機を配備する構成とした請求項１〜請求項３の何れか一項に記載の顕熱交換機と、ヒートポンプとを利用した施設園芸向け環境制御装置である。
【００１９】
請求項５は、ヒートポンプ室内外機と、顕熱交換機と、炭酸ガス供給機の他に、温湿度センサーを配備する構成とした請求項１〜請求項４の何れか一項に記載の顕熱交換機と、ヒートポンプとを利用した施設園芸向け環境制御装置である。
【００２０】
請求項６は、ハウス内の温湿度を、顕熱交換機を利用して制御する請求項１〜請求項５の何れか一項に記載の顕熱交換機と、ヒートポンプとを利用した施設園芸向け環境制御装置である。
【００２１】
従って、請求項４〜６では、請求項１の効果を、確実、かつ容易に達成できるヒートポンプ室内外機と、顕熱交換機とでなる施設園芸向け環境制御装置を提供できる。
【００２２】
請求項７は、顕熱交換機を、ハウス外に設置されたヒートポンプ室外機用のベースにセットする構成とした請求項１〜請求項６の何れか一項に記載の顕熱交換機と、ヒートポンプとを利用した施設園芸向け環境制御装置である。
【００２３】
従って、請求項７では、請求項１の効果を、確実、かつ容易に達成できることと、その際に、顕熱交換機を、ヒートポンプの室外機にセットする構造とし、ハウスの内部空間確保と、この顕熱交換機の大型化と、かつ大音量となる問題点の解消、等が図れる特徴がある。
【図面の簡単な説明】
【００２４】
【図１】本発明の全体の室外機側より見た右側面概念模式図
【図２】本発明の全体の室外機側より見た左側面概念模式図
【図３】本発明の全体の平面視した概念模式図
【図４】本発明の空気の流れと、ハウスに敷設したダクトとの関係を説明する室外機側より見た右側面の概念模式図
【図５】本発明の外気、温風等の再利用空気の流れの動作を示したフローチャートで、（ａ）は、主として外気の流れ、（ｂ）は、温湿度空気と、適温湿度空気の流れ
【図６】従来のヒートポンプを採用したハウスに敷設したときの関係を説明する室外機側より見た右側面の概念模式図
【発明を実施するための形態】
【００２５】
最初に、ハウスＡの暖房、又は、冷房用として、ヒートポンプ１（後述する室内外機と冷媒手段等で構成する）を採用することの利点を説明する。ヒートポンプ１の採用は、少なくとも、ハウスＡ内の最適な温度分布、及び／又は、湿度分布の均一化等を達成し、かつ送風能力の向上と、併せて必要とする送風量を達成し、収穫量の拡充と、品質の向上と、省エネ化、並びにＣＯ２の削減を図ることが必要である。また、その他として、例えば、店舗用ヒートポンプの有効活用（市販の店舗用ヒートポンプで不足する送風量の補填）と、店舗用ヒートポンプ利用に係らず、低コストとなる施設園芸向け環境制御装置の提供と、を図ることにある。
【００２６】
そこで、ハウスＡの暖房に求められる能力は、少なくとも、熱量と温度分布等の均一化である。施設園芸向けハウスＡでは、一般に、ヒートポンプ１よりダクト１１を利用して、植物の根元に送風する方法が、効率的であり、また、全ての植物に、略均等に送風が行き届き、気温と生育の均等化が図れる。また、施設園芸では、ハウスＡ内の一番気温の低い所が最低維持温度となる。そして、温度分布が不均一であれば、その分暖房温度は高めに設定される。このように、温度が高めに設定されれば貫流熱量が増えエネルギーを多く消費する。最近は、循環扇（サーキュレーション）が使用されハウスＡ内の温度は均一になり易くなっているが、植物の状態により風が通りにくければ効果も半減してしまう。ハウスＡでは、効率化と省エネルギー、又は使用の簡便性等の観点から、ダクト１１に、ビニール製の薄膜で作られたダクト１１（ポリダクト）を使用する。ところが、ダクト１１は膜が薄いため保温性が低く、送風されているときかなりの熱量が表面から放出されハウスＡ内に逃げている。このため、熱源（ヒートポンプ１）に近いところで室温が高く、ダクト１１の末端付近の室温が低くなる原因となり、室内温度（室温）の均一性を阻害する原因となっている。
【００２７】
ダクト１１を使用した時、吹き出し空気の温度は、１９７３年の栃木県農試の報告にあり、吐出温度、風量、ダクト径、ダクト長さでダクトの吹き出し温度がどの様になるかの実験式が記載されている。
【００２８】
この実験式はθ＝ｅｘｐ（−０．００４６Ｘ／ＣＰρｒＶ）×（θｈ−θｉ）と記載されている。
θ：距離Ｘｍにおける温風温度
Ｖ：温風の流速（ｍ／ｓ）
ＣＰρ：空気の熱容量
θｈ：機械よりの吐出温度
ｒ：ダクトの半径（ｍ）
θｉ：ハウス肉の気温（室温）
【００２９】
この式を基にして、ハウスＡ内室温１５℃、ダクト１１の半径０．１ｍ、送風量８０立方メートル（店舗用ヒートポンプの風量）、ダクト１１内風速３ｍ／ｓ（半径０．１ｍのダクトを５本配管した時の流速）、ヒートポンプ１よりの噴き出し温度３０℃で上記式より算出すると吹き出し温度は、１５ｍ先で２２℃、３０ｍ先で１８．２℃、５０ｍ先で１６．１℃となり、ダクト１１の長さとして限界となる。また、室内温度１５℃に対し吹き出し温度が１６．１℃となるとハウスＡの周辺部であれば温度の維持が難しい状態となる。また、吹き出し温度から見ると１５ｍで熱エネルギーの半分を放出している。
【００３０】
「１」  ヒートポンプ１の付近は温度が高く、離れるに従い温度が低下している。通常、ハウスＡの長手方向は５０ｍ以上あり、店舗用ヒートポンプにダクト１１を接続しただけでは温度分布に問題が発生し易い。
【００３１】
「２」  また、暖房費の低廉化対策としてハウスＡの気密性を上げる対策が採られる。夜間温度が下がるとハウスＡ内の湿度が上昇し高湿度状態や結露が発生する。このような状態が長時間続くと、カビ系の病気が発生しやすくなる。その解消として、例えば、湿度の制御ができる機構を組み込み病害の発生を防止する。
【００３２】
上記に鑑み、「試作品の開発等における技術的な課題並びにその具体的な取組内容」を説明する。
【００３３】
「１」  に関して、例えば、店舗用ヒートポンプ１では、ハウスＡ内の温度分布を均一に近い状態で維持することが難しい。そこで、従来は、送風用の送風機を配置し１６０立方メートル／ｍｉｎに送風量を増やし熱量の移動能力を向上させる仕様が考えられている。しかしながら、この不足する空気の量を、ヒートポンプ１により賄うことは困難であり、緊急処理として、ハウスＡの空気を吸引すると仮定すると、送風機に吸引される空気の温度は、室温とヒートポンプ１の吐出温度の中間の２２．５℃となる。上記計算によれば５０ｍ先の吹き出し温度は１７．１℃となる。従って、送風機を併用することで、例えば、店舗用ヒートポンプ１の送風量と比較して先端の５０ｍまで送るエネルギーの量は約４倍となり、その有効性が立証されている（吹き出し温度と室温の差が２倍になり、風量が２倍になっているため）。尚、ダクト１１内温度が半分になる距離を算出すると８０立方メートル／ｍｉｎでは１５ｍ、１６０立方メートル／ｍｉｎでは約２８ｍとなる。これはヒートポンプ１の熱エネルギー量の半分を放出する距離である。
【００３４】
上記の計算結果を実践する本発明の如く、送風量を多くすることで、例えば、ヒートポンプ１近くの過昇温を防止し、遠方の温度を高めで維持をすることが可能となり温度分布の均一化に大きく貢献する。そして、温度が均一になれば、温度の低いところがなくなり、設定温度を下げることができ、通常は、設定温度を１℃下げることが可能となり、かつ約１割熱量を低減することができると考えられる。
【００３５】
一方、送風量が少ないと、所謂、熱エネルギーが少ないと、運転、停止をしながら温度を一定に保持する運転が必要となり、結果として、温度の揺らぎの幅が大きくなり、問題である。
【００３６】
その他として、例えば、「静岡県経済産業部−新しい農業技術ＮＯ．５３８」によれば、試作機の暖房に対する経済効果、ＣＯ２の削減には、ヒートポンプ１を使用することであり、その効果は、例えば、重油燃焼暖房より大きくＣＯ２を削減できる。勿論、暖房費は、地域により差があるが、ヒートポンプ１を導入することで、ＣＯ２の発生量を削減することができる。これは、電気を使用するために、重油暖房と比較してＣＯ２の発生が少なくなることと、ヒートポンプ１の効率が良いことである。
【００３７】
ところで、温風暖房機を１８℃暖房設定で使用した場合は、１０ａ当り年間のＣＯ２発生量は５５ｔ／１０ａ程度である。これに対して、２０〜２５馬力ヒートポンプ１を導入することで、排出量は２２ｔ（３０〜４０％）程度削減することができる。削減率は一定ではなく、気象条件や温室の保温条件、夜間冷房の使用条件、電力会社の発電状況等でも変わらないと云える。温風暖房機では、Ａ重油の炭酸ガス発生量は、２．８ｋｇ−ＣＯ２／Ｌ（環境省平成１４年度温室効果ガス排出量算定検討法検討会より）となっている。今回の試作機ではさらに２ｔ／１０ａ程度削減が可能になると考えられる。
【００３８】
この弊害解除として、本発明では、例えば、後述する方法で、ハウス内温度を、温度分布と、暖房の効率化を、少量のエネルギーで達成できる、顕熱交換機付きのヒートポンプを備えた施設園芸装置を提供する。また、顕熱交換機とヒートポンプの内外の空気と混合するのは、外部の気温が低すぎると冷害を起こす可能性があるためで、換気設定温度、外気温、内気温を測定しながら混合量を調整できる施設園芸装置を提供する。
【００３９】
「２」  に関して、最近、普及が進んでいる送風方法として、畝間（株間）送風方法がある。植物の根元付近を２００φ程度のビニールダクト１１に空気を通し送風する方法であって、暖房効果を高め、育成に対しても効果のある方法と考えられている。この畝間送風方法では、送風用の送風機は風量と圧力を兼ね備えた遠心力型送風機を採用する。一方、ハウスＡは暖房費対策の上で、気密性対策や、多層のカーテンが設置されるが、反面で、問題も発生している。例えば、夜間はハウスＡ内部が１００％に近い湿度状態となり、結露が発生する。結露が長くなると、キュウリベト病や、トマト葉かび病等の好湿性病害が発生する。
【００４０】
この弊害解除として、本発明では、例えば、夜間の湿度状態を、８０−９０％程度にコントロールする為、後述する顕熱交換機を使用し夜間湿度をコントロールし、好湿性病害を防止する機能を追加する。これは少量の熱交換した湿度の低い空気を室内空気と混合し８０％程度の湿度の風を畝聞に送風することにより、病気の発生を防止できる効果がある。
【００４１】
その他として、本発明では、畝間送風は、植物の根元に直接空気を送り温度、及び／又は、湿度の均一性を保ち、育成にも効果がある。例えば、昼間ハウスは換気状態にあるが、近年は防虫網を張り害虫がハウスＡ内に侵入しない構造であるハウスＡも多くあり、自然換気だけでは内部の炭酸ガス濃度は大きく低下している。特に作物付近は低下の割合が大きい。後述する方法でダクトによって、ハウス内に、外部の空気を内部の空気と混合して外部の炭酸ガスを供給することで育成に効果がある。厳寒期にはハウス内の炭酸ガス濃度、及び／又は、湿度が大きく低下した場合は、顕熱交換機付きヒートポンプで加熱しながら外気を導入し育成を図ることで、作物への冷害と、ハウス内の温度低下の回避が図られる。
【００４２】
以下、本発明の好ましい、実施例を説明すると、建屋（ハウスＡとする）の壁面（妻面Ａ１００とする）には、フレーム２を構築する。このフレーム２の下側２００ａには、ヒートポンプ１の室外機３を設置する。また、このハウスＡの妻面Ａ１００の外側に設けた、フレーム２の下側２００ａに、室外機３を、上側２００ｂに顕熱交換機５を、それぞれ設置することで、土地の有効活用と、又は顕熱交換機５が大型化しても設置場所を確保できること、等を考えている。
【００４３】
この顕熱交換機５には、外気導入ルート（第一ルート５０１）と、外気吸込口となる外気ルート（第二ルート５０２）、並びに配管６とが設けられており、このルートを介して、外気が導入される。そして、第一ルート５０１には、第四ダンパー５０３が、第二ルート５０２には、第三ダンパー５０４と防虫ネット５０５とが、それぞれ設けられている。汚れのない外気導入と、必要とする空気量を図ること等にある。尚、図示しないが、必要により、室外機３に導入した外気を、第一ルート５０１、及び／又は、第二ルート５０２等を介して、顕熱交換機５に導入することも可能である。また、室外機３の排気を、顕熱交換機５に送り、再利用を意図する室外機排気回収ルートに、第二ルート５０２を利用することも可能である。
【００４４】
フレーム２の上側２００ｂに設けた顕熱交換機５には、その下部左側には、前記配管６の他方が接続、また、その上部左側には、顕熱交換機排気用の第五ルート５０６の基端側が接続されている。第五ルート５０６には、排気、又は空気の導入可否を制御する第一ダンパー５０７を設ける。この第一ダンパー５０７の開閉で、第五ルート５０６の開口側を開閉する。
【００４５】
この顕熱交換機５の右側下部には室内空気を送る第三ルート８０１が、また顕熱交換機５の右側上部と、ケーシング１０の左側上部との間には、後述する湿度調整済の調湿空気（湿度が調整された空気Ｘ３）送風用の第四ルート８０２の一方と他方（両側）が、それぞれ接続されている。この第三ルート８０１には、第一ブロワ８０３が、第四ルート８０２には第二ブロワ８０４が、それぞれ設けられている。従って、この第二ブロワ８０４は、第四ルート８０２を介して、顕熱交換機５から湿度が調整された空気Ｘ３を、ケーシング１０に送る。また、第一ブロワ８０３は、第三ルート８０１を介して、ハウスＡ内の空気Ｙとか、場合により、図示しない、ルートを介して、例えば、室外機３より排気された昇温空気Ｘ１の再利用を意図して、顕熱交換機５に送る。このケーシング１０には、ハウスＡ内に適温湿度空気（調湿空気）Ｘ４を送る送風機８０６と、送風機８０６の筒部８０７と、吐出口８０８とを有する。尚、図示しないが、ケーシング１０に開口を形成し、直接、ハウスＡ内空気Ｙを、このケーシング１０、及び／又は、顕熱交換機５に導入することも可能である。
【００４６】
次に、各種空気（外気、昇温空気「温風」、排気、並びに働きを終えた温風等）の流れを説明するが、外気の流れと、ハウスＡ内空気Ｙとの流れに区切って説明する。
【００４７】
顕熱交換機５への外気Ｘ（ハウスＡに必要とする外気Ｘ）の導入は、第一ルート５０１と第二ルート５０２、並びに配管６とを介して導入される。この顕熱交換機５内において、外気、及び／又は、室外機３等と、後述する室内機８からの空気との熱交換、湿度調整等が図れることで、温湿度空気Ｘ３が生成される。この温湿度空気Ｘ３は、後述する第四ルート８０２を介して、ケーシング１０内に導かれる。
【００４８】
また、図示しないが、従来と同様に、室外機３の外気Ｘ１を、室内機８に給気するか、別ルート、及び／又は別のポンプ等でなる構成、或いはこの別ルート等を介して、室内機８の働きを終えた排気温風（図示しない）を、室外機３に給気する構成もあり得る。
【００４９】
室外機３と室内機８との間の冷媒の使用の循環と、それぞれの熱交換による冷暖房作用等に関しては、従来と同様である。
【００５０】
前記顕熱交換機５では、顕熱交換機（図示せず）との熱交換による湿度調整を介して、湿度制御（調湿）、及び／又は、温度制御（温湿度調節）されることで、前述した如く、温湿度空気Ｘ３に変換される。この温湿度空気Ｘ３は、第二ブロワ８０４の吸込みと第四ルート８０２とを介して、ケーシング１０に導かれる。ケーシング１０内の温湿度空気Ｘ３は、室内機８において、図示しない熱交換機を介して、内気を昇温し、昇温内部空気（昇温内気）Ｘ５と、混合され、必要とする適温湿度空気Ｘ４が確保できる。この適温湿度空気Ｘ４は、送風機８０６と吐出口８０８からダクト１１、又はハウスＡ内に直接送られる。
【００５１】
この室内機８において、ハウスＡ内空気Ｙは、第一ブロワ８０３の吸込みと第三ルート８０１とを介して、顕熱交換機５に導かれる。その後、排気される。
【００５２】
その他として、試作機（環境制御装置）をハウスＡに設置し、ハウスＡ内の環境を測定し効果を確認する。例えば、試験設置で確認すべきことは、ダクト１１内の温度分布、湿度分布、風速、炭酸ガス濃度等の測定、また同様にハウスＡ内の温度分布、湿度分布、風速分布、炭酸ガス濃度等の測定を行い効果のある送風法（時間連続送風−簡潔送風、温度、風速等）を確立しハウスＡ内の環境制御制御プログラムの完成度を向上させる。また、設置状態における環境制御装置内の風向風速分布、温度、湿度を測定し、機械の効率向上、又は必要風量を確認しコストダウンや性能向上に努める。殊に、個々には、空気の機械への取り入れを調整するダンパーの動作確認、比例制御のパラメーター確認、温度、湿度、風速の状態を確認し効率よくハウスＡ内の環境が保たれるように心がけることである。
【００５３】
環境調整の多機能化と、作物栽培における最適環境を確保するための、別の利用方法（環境制御装置）として、例えば、図示しないが、夏季の除湿において、ハウスＡの外気、及び／又は、ハウスＡ内空気Ｙを、室外機３、及び／又は、室内機８で熱交換することで、湿度が低い、冷気に変換し、外気ルート（第二ルート５０２）を経由し（顕熱交換機５を経由せず）、ハウスＡの、図示しない、開口を介して、ハウスＡ内に戻す構造とか、又は、室外機３で熱交換して、湿度が低い、温風を、外気ルート、及び／又は、ハウスＡの開口を経由して、ハウスＡ内に戻す構造とかも可能で、最適環境を確保の目的の達成とともに、省エネと低コスト化等に寄与できる。
【００５４】
図中Ａ−１は、従来のハウスを、１−１は、従来のヒートポンプを、１００−１は、従来のダクトを、それぞれ示している。
【００５５】
以上で説明した各実施例は、好ましい一例を示したものであり、同様な効果と特徴を有する他の施設園芸用の環境制御装置とか、同様な思想に基づく手段は、本発明の範疇である。
【符号の説明】
【００５６】
Ａ          ハウス
Ａ１００    妻面
Ａ−１      ハウス
１          ヒートポンプ
１−１      ヒートポンプ
１００−１  ダクト
２          フレーム
２００ａ    下側
２００ｂ    上側
３          室外機
５          顕熱交換機
５０１      第一ルート
５０２      第二ルート
３０３      第二ダンパー
５０３      第四ダンパー
５０４      第三ダンパー
５０５      防虫ネット
５０６      第五ルート
５０７      第一ダンパー
６          配管
８          室内機
８０１      第三ルート
８０２      第四ルート
８０３      第一ブロワ
８０４      第二ブロワ
８０６      送風機
８０７      筒部
８０８      吐出口
１０        ケーシング
１１        ダクト
Ｘ          外気
Ｘ１        昇温外気
Ｘ２        昇温外気の一部（昇温排気）
Ｘ３        湿度が調整された空気
Ｘ４        適温湿度空気
Ｘ５        昇温内部空気
Ｙ          ハウスＡ内空気
【図１】
2015197258.tif 000003
【図２】
2015197258.tif 000004
【図３】
2015197258.tif 000005
【図４】
2015197258.tif 000006
【図５】
2015197258.tif 000007
【図６】
2015197258.tif 000008